(57)【要約】【課題】従来の技術では、予約した番組を確認するために、テレビ、または、ＶＴＲの電源を入れ、表示部に予約情報を表示させて確認しなければならなかった。【解決手段】電子ペンを利用した録画予約システムであって、少なくとも、筆記手段と、光学読取手段と、記憶手段と、送信手段とを有する電子ペンと、少なくとも、通信手段と、録画予約手段と、録画手段とを有し、表示装置に接続された録画装置と、電子ペンシステム管理サーバと、電子ペン読取専用ドットパターンが印刷された録画予約領域と、を有する録画システムを提供する。【選択図】  図１
2006352592.tif 000002
【特許請求の範囲】
【請求項１】
電子ペンを利用した録画予約システムであって、
少なくとも、筆記手段と、光学読取手段と、記憶手段と、送信手段とを有する電子ペンと、
少なくとも、通信手段と、録画予約手段と、録画手段とを有し、表示装置に接続された録画装置と、
電子ペンシステム管理サーバと、
電子ペン読取専用ドットパターンが印刷された録画予約領域と、
を有することを特徴とする録画予約システム。
【請求項２】
請求項１に記載の録画予約システムにおいて、
電子ペンシステム管理サーバ機能が録画装置に組み込まれたことを特徴とする録画予約システム。
【請求項３】
請求項１〜２何れか一項に記載の録画予約システムにおいて、
録画予約領域は、新聞または専門誌の番組表示欄に形成された領域であることを特徴とする録画予約システム。
【請求項４】
請求項１〜２何れか一項に記載の録画予約システムにおいて、
録画予約領域は、独立した録画予約シートに形成された領域であることを特徴とする録画予約システム。
【請求項５】
請求項３に記載の録画予約システムにおいて、
録画予約領域は、Ｇコードとともに印刷されたことを特徴とする録画予約システム。
【請求項６】
請求項１〜５何れか一項に記載の録画予約システムにおいて、
録画予約領域には機能情報エリアが形成されたことを特徴とする録画予約システム。
【発明の詳細な説明】
【技術分野】
【０００１】
本発明は、録画予約システムに関し、詳しくは電子ペンを使用して、ＴＶ番組表示欄などに印刷されたＧコード、および、ドットパターンによって録画番組を予約する録画予約システムに関する。
【背景技術】
【０００２】
従来、テレビ番組をビデオテープやＤＶＤ、ハードディスク等に録画する方法として、Ｇコード（録画を予約する場合に必要な「日付」，「チャンネル番号」，「番組開始時間」，「番組の長さ」の４要素を最大８桁の数字に置き換えたコード）を利用して予約する方法が使われている。
Ｇコードを利用すると、番組の予約が容易にできるようになるが、新聞や専門誌の番組表示欄を見ながら指で設定するために、押し間違えなどによって、一回の操作でできなかったり、間違って設定したことに気が付かず違う番組が録画されることが多かった。
【０００３】
そこで、確実に、早い操作で録画予約を行うために「Ｇコード読み取りリモコン」なる装置が提供されている（例えば、特許文献１参照）。
特許文献１に記載の技術によれば、Ｇコードを用いて録画予約をする際、新聞や専門誌に印刷されたＧコードの上に静置型スキャナを置いて、Ｇコードを読取り、文字列のまま、または、バーコードに変換してＶＴＲに送信して予約するというものである。
【０００４】
【特許文献１】特開平７−２２０３２４号公報
【発明の開示】
【発明が解決しようとする課題】
【０００５】
前述の特許文献に記載の技術では、予約した番組を確認するために、テレビ、または、ＶＴＲの電源を入れ、表示部に予約情報を表示させて確認しなければならなかった。
【課題を解決するための手段】
【０００６】
前記課題を解決するために、本発明の、録画予約システムの請求項1に記載の発明は、電子ペンを利用した録画予約システムであって、少なくとも、筆記手段と、光学読取手段と、記憶手段と、送信手段とを有する電子ペンと、少なくとも、通信手段と、録画予約手段と、録画手段とを有し、表示装置に接続された録画装置と、電子ペンシステム管理サーバと、電子ペン読取専用ドットパターンが印刷された録画予約領域と、を有することを特徴とするものである。
【０００７】
また、請求項２に記載の発明は、請求項１に記載の発明において、電子ペンシステム管理サーバの機能が録画装置に組み込まれたことを特徴とするものである。
【０００８】
また、請求項３に記載の発明は、請求項１〜２何れか一項に記載の発明において、録画予約領域は、新聞または専門誌の番組表示欄に形成された領域であることを特徴とするものである。
【０００９】
また、請求項４に記載の発明は、請求項１〜２何れか一項に記載の発明において、録画予約領域は、独立した録画予約シートに形成された領域であることを特徴とするものである。
【００１０】
また、請求項５に記載の発明は、請求項３に記載の発明において、録画予約領域は、Ｇコードとともに印刷されたことを特徴とするものである。
【００１１】
また、請求項６に記載の発明は、請求項１〜５何れか一項に記載の発明において、録画予約領域には機能情報エリアが形成されたことを特徴とするものである。
【発明の効果】
【００１２】
１）請求項１に記載のように、電子ペンを利用した録画予約システムであって、少なくとも、筆記手段と、光学読取手段と、記憶手段と、送信手段とを有する電子ペンと、少なくとも、通信手段と、録画予約手段と、録画手段とを有し、表示装置に接続された録画装置と、電子ペンシステム管理サーバと、電子ペン読取専用ドットパターンが印刷された録画予約領域と、を有することによって、録画予約者は、容易に、早く、しかも確実に録画の予約を行うことができる。
２）また、請求項２に記載のように、請求項１に記載の発明において、電子ペンシステム管理サーバの機能が録画装置に組み込まれたことによって、システム提供者の運営が単純化される。
３）また、請求項３に記載のように、請求項１〜２何れか一項に記載の発明において、録画予約領域は、新聞または専門誌の番組表示欄に形成された領域であるこによって、電子ペンを番組表示欄にタッチするだけで録画予約でき、ドットパターンが印刷された領域であれば、番組に関連したアンケートなどに流用する等の展開が可能となる。
４）また、請求項４に記載のように、請求項１〜２何れか一項に記載の発明において、録画予約領域は、独立した録画予約シートに形成された領域であることによって、新聞や、専門誌のテレビ番組表示欄の印刷は従来通りとし、電子ペンと録画装置を所有する者に録画予約シートを独立した状態で提供することができる。
５）また、請求項５に記載のように、請求項３に記載の発明において、録画予約領域は、Ｇコードとともに印刷されたことによって、ワンタッチで録画予約できるとともに、録画予約シート等と複数の方式に対応することができる。
６）また、請求項６に記載のように、請求項１〜５何れか一項に記載の発明において、録画予約領域には機能情報エリアが形成されたことによって、予約、予約取り消し等を電子ペンにより、ワンタッチで行うことができる。
【発明を実施するための最良の形態】
【００１３】
以下、図面を参照して本発明の録画予約システムについて説明する。
図１は、本発明の録画予約システムを構築するための装置，媒体について説明するための図，図２は、電子ペン読取専用ドットパターンが印刷された録画予約シートの一例について説明するための図，図３は、電子ペン読取専用ドットパターンが印刷されたテレビジョン（以下、ＴＶという）番組表示欄の録画予約領域の一例について説明するための図，図４は、ＴＶ番組表示欄を使用して録画予約する場合の操作手順について説明するための図，図５は、録画装置のＧコード変換機能により録画予約する処理手順について説明するための図，図６は、電子ペンについて説明するための図，図７は、電子ペン読取専用ドットパターンについて説明するための図，である。
【００１４】
図１を参照して、本発明の録画予約システムを構築するための装置，媒体について説明する。
ＴＶ番組予約場所には、電子ペン１，録画装置２，電子ペン読取専用ドットパターンが印刷された録画予約シート４を用意する。図示しないが、録画予約シート４は、新聞や、専門誌のＴＶ番組表示欄でもよい。
本発明の録画予約システムを運用する側では、電子ペンシステム管理サーバ３を設置し、電子ペンと、録画予約シートに印刷されたドットパターンの管理を行う。
以下の説明では、電子ペン１，電子ペン読取専用ドットパターンを印刷した録画予約シート４は、スウェーデン国の「Ａｎｏｔｏ社」で開発されたアノトペン１、および、アノトペン専用ドットパターンが印刷された録画予約シート４、または、アノトペン専用ドットパターンが印刷されたＴＶ番組表示欄の例で説明する。
【００１５】
録画予約者は、新聞などのＴＶ番組表示欄を見て、録画しようとするＴＶ番組を探し、ＴＶ番組名の下に印刷されているＧコードを、電子ペン１を使用して録画予約シート４の所定の場所に記載する。
続けて、電子ペン１で録画予約シート４に印刷された予約枠（枡で区画されている機能情報エリア）にタッチし、録画予約する。予約済みであることが後で判るように、予約枠の中にチェックマークを記載してもよい。
複数録画予約する場合は、複数のＧコードを、電子ペン１を使用して録画予約シート４の所定の場所に記載する。録画予約した後で、取り消したい場合は、取消枠の中にチェックマークを記載する。
【００１６】
録画予約シート４に記載されたＧコードは、電子ペン１の送信部から録画装置２に有線または無線で送信される。録画装置２は、電子ペンから受信したドットパターンの座標情報を電子ペンシステムサーバ３の一つ、ＰＬＳ（Ｐａｐｅｒ  Ｌｏｏｋ−ｕｐ  Ｓｅｒｖｉｃｅ）サーバ（電子ペンシステムサーバの項で詳述する。）に送信する。ＰＬＳサーバは、電子ペンシステムサーバ３のもう一つのサーバ、ＡＳＨ（Ａｐｐｒｉｃａｔｉｏｎ  Ｓｅｒｖｉｃｅ  Ｈａｎｄｌｅｒ）サーバのＵＲＬ（Ｕｎｉｆｏｒｍ  Ｒｅｓｏｕｒｃｅ  Ｌｏｃａｔｏｒ）を録画装置２に返信する。録画装置２は、録画予約されたＧコードのストロークデータをＡＳＨサーバに送信する。
ＡＳＨサーバは、Ｇコードのストロークデータをテキストデータに変換して録画装置２に返信する。
録画装置２は、装置内に格納されたＧコード処理プログラムによってＴＶ番組の録画予約処理を行う。
【００１７】
図６を参照して、電子ペンについて説明する。
電子ペン１は、インクカートリッジ１０８を伴った筆記部１０６，ドットパターンを読み取るデジタルカメラによる撮像部１０５，デジタルカメラで読み取られた筆記情報（ストロークの座標情報）を記憶する記憶部１０３，録画装置にストロークの座標情報を送信する通信部１０２，これらの機能を制御する制御部１０４，電子ペン用の圧力センサ１０７，図示していないが電源部を電子ペン１の筐体１０１の内部に搭載している。
電子ペン１は、録画予約シートに記載されたＧコードと、機能情報エリアのドットパターン情報を撮像部１０５で読み取って記憶部１０３で記憶し、通信部１０２からで録画装置に送信する。
通信部１０２は、ＵＳＢ（Ｕｎｉｖｅｒｓａｌ  Ｓｅｒｉａｌ  Ｂｕｓ）対応、または、Ｂｌｕｅｔｏｏｔｈ対応となっている。
筆記部１０６は、電子ペンの筐体１０１に組み込まれており、単に筆記具として使用することもできるようになっている。
【００１８】
筆記部１０６は、筆記イメージを可視状態で記載部に残す役割の他に、デジタルカメラによる撮像部１０５とドットパターン印刷面との距離を一定にする役割を担っている。
筆記部１０６が電子ペン筐体１０１に装着されたときに、インクカートリッジ１０８側の先端が、電子ペン筐体１０１に取り付けられた電子ペン用の圧力センサ１０７に接触するようになっている。
この圧力センサ１０７は、情報の記載が開始されることを制御部１０４に伝える役割と、筆圧の強弱を読み分ける役割を備えている。
そのために、本実施の形態では利用しないが、署名の際に筆圧による特徴を把握し、署名している者が、例えば、登録されている者か否かを判定することができるようになっている。
インクカートリッジ１０８の残量を確認する場合、または、充填する場合は、例えば、筆記部１０６を電子ペン筐体１０１の先端から引き抜いてインク残量の確認、または、インクの補充を行う。
【００１９】
図７を参照して、電子ペン専用ドットパターンについて説明する。
ｃ図に示すドットパターンは、アノトペン専用ドットパターンの例である（ｃ図に示す縦横の仮想線は、説明し易くするために便宜上記載しており、実際には印刷されていない）。
ドットパターンの各ドットは、０．３ｍｍ間隔で形成された直角に交わる縦横の仮想線の交点近傍に、それぞれ異なる４方向の何れかに配置され、（電子ペンの撮像部で認識可能な）赤外線で読取ることができるインキで印刷されている。
ｄ図は、判りやすくするために、ｃ図に示したドットパターンの、それぞれのドットの意味を数値に変換して示した一例である。
前述のＡｎｏｔｏ社のシステムでは、３６個のドット（約４ｍｍ2の内側に印刷されたドット群）を１単位情報として扱っている。
【００２０】
電子ペンで、例えば、録画予約シートに文字や記号を記載すると、ペン先がどの位置をなぞっているか、その近傍に印刷されたドットパターンを電子ペンに内蔵された撮像部で読み取って、ペン先が置かれた、または、移動した単位情報から座標を割り出し、電子ペンの記憶部に記憶するようになっている。
【００２１】
電子ペン管理サーバ３は、多くの場合、ＰＬＳサーバとＡＳＨサーバに分けられて使用される。
ＰＬＳサーバと、ＡＳＨサーバとは、一般的には別々に管理されている独立したサーバであるが、ＰＬＳサーバと、ＡＳＨサーバを同一のサーバ内に存在させることもできる。
一つのアプリケーションには、同一のドットパターンが存在しないように管理されており、録画装置２から送信されたドットパターンの座標情報は、まず、ＰＬＳサーバに送信される。ＰＬＳサーバは、受信したドットパターンの座標情報から、使用されているアプリケーションを支援するＡＳＨサーバのＵＲＬを割り出してＡＳＨサーバのＵＲＬを録画装置２に返す。録画装置は、ストローク座標情報を前述のＡＳＨサーバのＵＲＬに送信する。
【００２２】
録画装置２は、先ず電子ペン２から送信されたデータが、事前にＧコードと関連付けされ、電子ペンによりワンタッチで入力された（新聞や、専門誌のＴＶ番組表示欄に印刷された）ドットパターンデータであるか、（録画予約シートに記載され、機能性エリアのチェックによって送信された）Ｇコードのストロークデータであるかを判断し、ドットパターンデータの場合は、ＰＬＳサーバと、ＡＳＨサーバによってテキストデータに変換され、事前に登録されたＧコード群とドットパターンデータの照合を行い、Ｇコードを生成し、ＧコードによってＧコードの対象番組の録画予約を行う。
電子ペン２から送信されたデータがＧコードのストロークデータの場合は、ＰＬＳサーバと、ＡＳＨサーバによって変換されたＧコードでＧコードの対象番組の録画予約を行う。
【００２３】
図２を参照して、電子ペン読取専用ドットパターンが印刷された録画予約シートの一例について説明する。
本実施の形態では、録画予約シート４には、Ｇコード記載欄４１，予約機能エリア４２，予約取消機能エリア４３がセットになった入力枠が複数印刷されており、冊子状になっている。
Ｇコード記載欄４１，予約機能エリア４２，予約取消機能エリア４３にはそれぞれ事前に予約登録されたドットパターンが印刷され、例えば、Ｇコード記載欄４１に電子ペンでＧコードを数字で記載した場合に、記載された文字列がＧコードであることがＰＬＳサーバとＡＳＨサーバ、および、録画装置に登録されている。予約機能エリア４２，予約取消機能エリア４３をタッチ、または、マークした場合に、送信されるドット情報も同様ＰＬＳサーバとＡＳＨサーバ、および、録画装置に登録されている。
複数綴じ合わされた録画予約シート４には同じドットパターンが印刷されており、録画予約者に提供される前に前述のような登録作業が行われる。
【００２４】
図３を参照して、電子ペン読取専用ドットパターンが印刷されたＴＶ番組表示欄の録画予約領域の一例について説明する。
図２で説明したと同様の事前準備段階を経て新聞，専門誌にドットパターンが割り当てられ、印刷される。
新聞のＴＶ番組表示欄４０を示すａ図の「丸」でマークした部分の拡大図がｂ図である。
ＴＶ番組表示欄４０の一部を拡大すると、ｂ図に示すように５時５５分から６時１５分の間は「ニュース」で、Ｇコード５として「１２３４５」の５桁の数字が印刷されている。また、６時１５分からは「アニメＡＢＣ」と印刷され、その下部にＧコードとして「７８９０１２３４」の８桁の数字が印刷されている。
Ｇコードが印刷されたエリアには、Ｇコードと関連付けられたドットパターン４０１が印刷されている。
図３に示す実施形態の場合は、Ｇコードと関連付けられたドットパターン４０１エリアのどこかを電子ペンでタッチすると、Ｇコードのドット情報が録画装置に送信されＧコードに変換され、録画予約手続きが録画装置内で行われる。
【００２５】
図３では図示していないが、ＴＶ番組表示欄４０の、Ｇコードが印刷されていない所定の場所に図２で説明したような録画予約領域が設けられる場合もある。
この場合は、図２で説明したような要領で、録画予約領域に電子ペンでＧコードを記載し、予約機能エリア，取消機能エリアで予約，取消操作を行う。
なお、電子ペン専用ドットパターンを利用して、ＴＶ番組表示欄の近くに印刷されたアンケート欄などの回答に流用することもできる。
【００２６】
図４を参照して、ＴＶ番組表示欄を使用して録画予約する場合の操作手順について説明する。
この操作手順図では、新聞や、専門誌に電子ペンで読取るドットパターンが印刷されていない場合や、録画予約シートが供給されていない場合が含まれる。
先ず、録画予約者は新聞や、専門誌のＴＶ番組表示欄から、録画したい番組を選択する（ステップ１：以下、Ｓ１）。
ドットパターンが印刷されているか否かを確認し（Ｓ２）、ドットパターンが印刷されている場合は、新聞や、専門誌の録画予約領域を電子ペンでタッチ、または、チェックマークを記載する（Ｓ３）。
その結果、電子ペンから送信されたドットパターンから、電子ペンシステム管理サーバを仲介、または、録画装置内に組み込まれたプログラムによって録画装置内で関連付けされたＧコードを生成し、録画装置の予約プログラム部に送信する（Ｓ４）。
【００２７】
Ｓ２で、新聞や、専門誌のＴＶ番組表示欄以外の所定の場所に録画予約領域が設けられている場合（Ｓ５）は、録画予約領域に電子ペンでＧコードを記入（Ｓ７）し、近傍に印刷されている予約機能エリア，取消機能エリアをタッチすることによって電子ペンから録画装置にストロークデータによるＧコードを送信する（Ｓ８）。
また、Ｓ２で、新聞や、専門誌にドットパターンが印刷されていない場合で、録画予約シートによって予約するようになっている場合（Ｓ６）は、電子ペンで録画予約シートにストロークデータによるＧコードを記入（Ｓ７）し、録画予約シートの近傍に印刷されている予約機能エリア，取消機能エリアをタッチすることによって電子ペンから録画装置にストロークデータによるＧコードを送信する（Ｓ８）。
Ｓ５で所定の場所に録画予約領域が設けられていない場合、および、Ｓ６で録画予約シートが無い場合は、従来の方法で予約を行う。
【００２８】
図５を参照して、録画装置のＧコード変換機能により録画予約する処理手順について説明する。
録画装置は、電子ペンからデータを受信する（Ｓ１１）。
受信データが新聞や、専門誌の番組表示欄に印刷されたドットパターンの座標データであるか、新聞や、専門誌に印刷された所定の録画予約領域または録画予約シートに記載されたＧコードのストロークデータであるか、を判断する（Ｓ１２）。
受信データがドットパターンの座標データの場合は、外部のＰＬＳサーバとＡＳＨサーバ、または、録画装置内に組み込まれたＰＬＳ，ＡＳＨサーバの機能によってドットパターンの座標データと事前に登録されたＧコード群の照合を行い、対応するＧコードに変換する（Ｓ１３）。
受信データがストロークデータの場合は、外部のＰＬＳサーバとＡＳＨサーバ、または、録画装置内に組み込まれたＰＬＳサーバとＡＳＨサーバの機能によってテキストデータに変換（Ｓ１４）する。
Ｓ１３，Ｓ１４で生成されたＧコードと、Ｇコード処理プログラムによって録画予約を行う（Ｓ１５）。
【産業上の利用可能性】
【００２９】
電子ペンを使用して、ＴＶ番組表示欄などに印刷されたＧコード、および、ドットパターンによって録画番組を予約する録画予約システムに利用できる。
に利用できる。
【図面の簡単な説明】
【００３０】
【図１】本発明の録画予約システムを構築するための装置，媒体について説明するための図である。
【図２】電子ペン読取専用ドットパターンが印刷された録画予約シートの一例について説明するための図である。
【図３】電子ペン読取専用ドットパターンが印刷されたＴＶ番組表示欄の録画予約領域の一例について説明するための図である。
【図４】ＴＶ番組表示欄を使用して録画予約する場合の操作手順について説明するための図である。
【図５】録画装置のＧコード変換機能により録画予約する処理手順について説明するための図である。
【図６】電子ペンについて説明するための図である。
【図７】電子ペン読取専用ドットパターンについて説明するための図である。
【符号の説明】
【００３１】
１      電子ペン
２      録画装置
３      電子ペンシステム管理サーバ
４      録画予約シート
５      Ｇコード
４０    ＴＶ番組表示欄
４１    Ｇコード記載欄
４２    予約機能エリア
４３    予約取消機能エリア
１０１  筐体
１０２  通信部
１０３  記憶部
１０４  制御部
１０５  撮像部
１０６  筆記部
１０７  圧力センサ
１０８  インクカートリッジ
４０１  ドットパターン
【図１】
2006352592.tif 000003
【図２】
2006352592.tif 000004
【図３】
2006352592.tif 000005
【図４】
2006352592.tif 000006
【図５】
2006352592.tif 000007
【図６】
2006352592.tif 000008
【図７】
2006352592.tif 000009